(57)【要約】【課題】小型で、諸収差が好適に補正された、良好な光学特性を有する撮像レンズおよび撮像装置を提供する。【解決手段】物体側より順に、正の屈折力を有する第１レンズと、正または負の屈折力を有する第２レンズと、負の屈折力を有する第３レンズと、負の屈折力を有する第４レンズと、正の屈折力を有する第５レンズと、負の屈折力を有する第６レンズとからなる。前記第６レンズの像側の面を、光軸との交点以外に少なくとも１つの変曲点を有する非球面形状とする。【選択図】図１
2014044372.tif 000002
【特許請求の範囲】
【請求項１】
物体側より順に、
正の屈折力を有する第１レンズと、
正または負の屈折力を有する第２レンズと、
負の屈折力を有する第３レンズと、
負の屈折力を有する第４レンズと、
正の屈折力を有する第５レンズと、
負の屈折力を有する第６レンズとからなり、
前記第６レンズの像側の面が、光軸との交点以外に少なくとも１つの変曲点を有する非球面形状である
撮像レンズ。
【請求項２】
以下の条件式を満足する
請求項１に記載の撮像レンズ。
１４≦ν３≦３５  ……（１）
ただし、
ν３：前記第３レンズのアッべ数
とする。
【請求項３】
以下の条件式を満足する
請求項１に記載の撮像レンズ。
２０≦ν５≦６０  ……（２）
ただし、
ν５：前記第５レンズのアッべ数
とする。
【請求項４】
以下の条件式を満足する
請求項１に記載の撮像レンズ。
０．４≦ｆ1to2／ｆ≦１．０  ……（３）
ただし、
ｆ：全系の焦点距離
ｆ1to2：前記第１レンズと前記第２レンズとの合成焦点距離
とする。
【請求項５】
以下の条件式を満足する
請求項１に記載の撮像レンズ。
−１≦ｆ１／ｆ２≦３０  ……（４）
ただし、
ｆ１：前記第１レンズの焦点距離
ｆ２：前記第２レンズの焦点距離
とする。
【請求項６】
以下の条件式を満足する
請求項１に記載の撮像レンズ。
０≦ｆ３／ｆ４≦１．０  ……（５）
ただし、
ｆ３：前記第３レンズの焦点距離
ｆ４：前記第４レンズの焦点距離
とする。
【請求項７】
以下の条件式を満足する
請求項１に記載の撮像レンズ。
−１０≦（Ｒ９＋Ｒ１０）／（Ｒ９−Ｒ１０）≦１  ……（６）
ただし、
Ｒ９：前記第５レンズの物体側の面の曲率半径
Ｒ１０：前記第５レンズの像側の面の曲率半径
とする。
【請求項８】
以下の条件式を満足する
請求項１に記載の撮像レンズ。
−５≦（Ｒ１１＋Ｒ１２）／（Ｒ１１−Ｒ１２）≦１０  ……（７）
ただし、
Ｒ１１：前記第６レンズの物体側の面の曲率半径
Ｒ１２：前記第６レンズの像側の面の曲率半径
とする。
【請求項９】
前記第１レンズの物体側、または前記第１レンズと前記第２レンズとの間に開口絞りが配置されている
請求項１に記載の撮像レンズ。
【請求項１０】
前記第１ないし第６レンズの全てが樹脂材料で構成されているか、または前記第１ないし第６レンズのうち、前記第１レンズもしくは前記第２レンズのみがガラス材料で構成されている
請求項１に記載の撮像レンズ。
【請求項１１】
前記第３レンズと前記第４レンズとが同じ材料である
請求項１に記載の撮像レンズ。
【請求項１２】
撮像レンズと、前記撮像レンズによって形成された光学像に応じた撮像信号を出力する撮像素子とを含み、
前記撮像レンズは、
物体側より順に、
正の屈折力を有する第１レンズと、
正または負の屈折力を有する第２レンズと、
負の屈折力を有する第３レンズと、
負の屈折力を有する第４レンズと、
正の屈折力を有する第５レンズと、
負の屈折力を有する第６レンズとからなり、
前記第６レンズの像側の面が、光軸との交点以外に少なくとも１つの変曲点を有する非球面形状である
撮像装置。
【発明の詳細な説明】
【技術分野】
【０００１】
本開示は、高画素ＣＣＤ（Charge Coupled Devices）やＣＭＯＳ（Complementary Metal Oxide Semiconductor）などの撮像素子を使用した小型の撮像装置、例えば光センサー、携帯用モジュールカメラ、およびＷＥＢカメラなどに好適な撮像レンズ、およびそのような撮像レンズを用いた撮像装置に関する。
【背景技術】
【０００２】
固体撮像素子としてＣＣＤやＣＭＯＳ等が用いられたカメラ付の携帯電話やデジタルスチルカメラ等の撮像装置が知られている。これらの撮像装置においては、近年、小型化の要求が高く、搭載される撮像レンズにおいても光学全長の短い小型のものが要求されている。このような小型の撮像レンズを有する撮像装置が開示されている。
【０００３】
一方、近年、カメラ付の携帯電話のような小型の撮像装置においても、特に、小型化と共に撮像素子の高画素化が進んでおり、１００万画素以上の解像度を有するいわゆるメガピクセル以上の高画素の撮像素子を搭載したものが普及している。従って、搭載される撮像レンズにおいては、上記したような高画素の撮像素子に対応する高いレンズ性能が要求されており、従来、このような高いレンズ性能を有する撮像レンズが用いられた撮像装置が開示されている。例えば特許文献１，２には、５枚構成の撮像レンズが開示されている。
【先行技術文献】
【特許文献】
【０００４】
【特許文献１】特開２０１０−２３７４０７号公報
【特許文献２】特開２０１１−１３８１７５号公報
【発明の概要】
【発明が解決しようとする課題】
【０００５】
ところが、特許文献１に記載の撮像レンズは、５枚構成のレンズのうち２枚しか負の屈折力を有するレンズが存在しないために、ペッツバール像面がアンダー傾向に倒れる結果となってしまう。そのため、像面補正を行うためにレンズの形状が必要以上に複雑な形状になってしまう場合があり、光学性能を維持しながら小型化を達成するのが難しくなってしまう。
【０００６】
特許文献２には、５枚構成において負の屈折力を持つレンズが３つ配置されているが、その結果、第１レンズに正の屈折力を集中させる結果となってしまっている。その結果、ペッツバール像面の補正が行いやすくなるが、第１レンズの屈折力が過剰になってしまうことで発生するコマ収差を補正することが難しくなってしまい、小型化を満足しつつ撮像レンズ全体としての光学性能を満足することが不十分になってしまう場合があった。
【０００７】
本開示の目的は、小型で、諸収差が好適に補正された、良好な光学特性を有する撮像レンズおよび撮像装置を提供することにある。
【課題を解決するための手段】
【０００８】
本開示による撮像レンズは、物体側より順に、正の屈折力を有する第１レンズと、正または負の屈折力を有する第２レンズと、負の屈折力を有する第３レンズと、負の屈折力を有する第４レンズと、正の屈折力を有する第５レンズと、負の屈折力を有する第６レンズとからなる。第６レンズの像側の面は、光軸との交点以外に少なくとも１つの変曲点を有する非球面形状である。
【０００９】
本開示による撮像装置は、撮像レンズと、撮像レンズによって形成された光学像に応じた撮像信号を出力する撮像素子とを備え、撮像レンズを、上記本開示による撮像レンズによって構成したものである。
【００１０】
本開示による撮像レンズまたは撮像装置では、全体として６枚のレンズ構成で、各レンズの構成の最適化が図られている。
【発明の効果】
【００１１】
本開示の撮像レンズまたは撮像装置によれば、全体として６枚のレンズ構成とし、各レンズの構成の最適化を図るようにしたので、小型で、諸収差が好適に補正された、良好な光学特性を実現できる。特に、負の屈折力を持つレンズを３つ以上配置させると共に、第１レンズと第２レンズとのパワー配分、および第３レンズと第４レンズとのパワー配分を適切に定めた構成にすることで、５枚以下のレンズ構成では成しえなかった、高解像化に伴った撮像素子の大型化や画素の高細密化にも対応可能となり、諸収差が良好に補正された高性能なレンズをコンパクトな構成で、安価に提供できる。
【図面の簡単な説明】
【００１２】
【図１】本開示の一実施の形態に係る撮像レンズの第１の構成例を示すものであり、数値実施例１に対応するレンズ断面図である。
【図２】撮像レンズの第２の構成例を示すものであり、数値実施例２に対応するレンズ断面図である。
【図３】撮像レンズの第３の構成例を示すものであり、数値実施例３に対応するレンズ断面図である。
【図４】撮像レンズの第４の構成例を示すものであり、数値実施例４に対応するレンズ断面図である。
【図５】撮像レンズの第５の構成例を示すものであり、数値実施例５に対応するレンズ断面図である。
【図６】撮像レンズの第６の構成例を示すものであり、数値実施例６に対応するレンズ断面図である。
【図７】撮像レンズの第７の構成例を示すものであり、数値実施例７に対応するレンズ断面図である。
【図８】撮像レンズの第８の構成例を示すものであり、数値実施例８に対応するレンズ断面図である。
【図９】撮像レンズの第９の構成例を示すものであり、数値実施例９に対応するレンズ断面図である。
【図１０】撮像レンズの第１０の構成例を示すものであり、数値実施例１０に対応するレンズ断面図である。
【図１１】撮像レンズの第１１の構成例を示すものであり、数値実施例１１に対応するレンズ断面図である。
【図１２】撮像レンズの第１２の構成例を示すものであり、数値実施例１２に対応するレンズ断面図である。
【図１３】撮像レンズの第１３の構成例を示すものであり、数値実施例１３に対応するレンズ断面図である。
【図１４】撮像レンズの第１４の構成例を示すものであり、数値実施例１４に対応するレンズ断面図である。
【図１５】数値実施例１に対応する撮像レンズの球面収差、非点収差、および歪曲収差を示す収差図である。
【図１６】数値実施例２に対応する撮像レンズの球面収差、非点収差、および歪曲収差を示す収差図である。
【図１７】数値実施例３に対応する撮像レンズの球面収差、非点収差、および歪曲収差を示す収差図である。
【図１８】数値実施例４に対応する撮像レンズの球面収差、非点収差、および歪曲収差を示す収差図である。
【図１９】数値実施例５に対応する撮像レンズの球面収差、非点収差、および歪曲収差を示す収差図である。
【図２０】数値実施例６に対応する撮像レンズの球面収差、非点収差、および歪曲収差を示す収差図である。
【図２１】数値実施例７に対応する撮像レンズの球面収差、非点収差、および歪曲収差を示す収差図である。
【図２２】数値実施例８に対応する撮像レンズの球面収差、非点収差、および歪曲収差を示す収差図である。
【図２３】数値実施例９に対応する撮像レンズの球面収差、非点収差、および歪曲収差を示す収差図である。
【図２４】数値実施例１０に対応する撮像レンズの球面収差、非点収差、および歪曲収差を示す収差図である。
【図２５】数値実施例１１に対応する撮像レンズの球面収差、非点収差、および歪曲収差を示す収差図である。
【図２６】数値実施例１２に対応する撮像レンズの球面収差、非点収差、および歪曲収差を示す収差図である。
【図２７】数値実施例１３に対応する撮像レンズの球面収差、非点収差、および歪曲収差を示す収差図である。
【図２８】数値実施例１４に対応する撮像レンズの球面収差、非点収差、および歪曲収差を示す収差図である。
【図２９】撮像装置の一構成例を示す正面図である。
【図３０】撮像装置の一構成例を示す背面図である。
【発明を実施するための形態】
【００１３】
以下、本開示の実施の形態について図面を参照して詳細に説明する。なお、説明は以下の順序で行う。
１．レンズの基本構成
２．作用・効果
３．撮像装置への適用例
４．レンズの数値実施例
５．その他の実施の形態
【００１４】
［１．レンズの基本構成］
図１は、本開示の一実施の形態に係る撮像レンズの第１の構成例を示している。この第１の構成例は、後述の数値実施例１のレンズ構成に対応している。同様にして、後述の数値実施例２ないし１４のレンズ構成に対応する第２ないし第１４の構成例の断面構成を、図２〜図１４に示す。図１〜図１４において、符号Ｓｉｍｇは像面、Ｚ１は光軸を示す。
【００１５】
本実施の形態に係る撮像レンズは、光軸Ｚ１に沿って物体側より順に、第１レンズＬ１と、第２レンズＬ２と、第３レンズＬ３と、第４レンズＬ４と、第５レンズＬ５と、第６レンズＬ６とが配置された、実質的に６つのレンズで構成されている。
【００１６】
第１レンズＬ１は、正の屈折力を有している。第２レンズＬ２は、正または負の屈折力を有している。第３レンズＬ３は、負の屈折力を有している。第４レンズＬ４は、負の屈折力を有している。第５レンズＬ５は、正の屈折力を有している。第６レンズＬ６は、負の屈折力を有している。第６レンズＬ６は、像側の面が、中心部から周辺部に行くに従い、凹凸形状が途中で変化するような変曲点を有する非球面形状であり、光軸Ｚ１との交点以外に少なくとも１つの変曲点を有している。
【００１７】
その他、本実施の形態に係る撮像レンズは、後述する所定の条件式等を満足することが好ましい。
【００１８】
［２．作用・効果］
次に、本実施の形態に係る撮像レンズの作用および効果を説明する。
【００１９】
この撮像レンズでは、第６レンズＬ６の像側の面が非球面形状となり、光軸Ｚ１との交点以外に少なくとも１つの変曲点を有している。この非球面形状にすることで、画角が大きくなることに伴う主光線の跳ね上げを抑制することができるので、適正な角度で撮像素子に光線を入射させることができる。物体側から順に、正の屈折力を有する第１レンズＬ１と、正または負の屈折力を有する第２レンズＬ２と、負の屈折力を有する第３レンズＬ３と、負の屈折力を有する第４レンズＬ４と、正の屈折力を有する第５レンズと、負の屈折力を有する第６レンズＬ６とを配置し、第６レンズＬ６を上記した非球面形状とすることで、良好な光学性能を持つレンズを提供することができる。
【００２０】
この撮像レンズでは、６枚のレンズから構成されていることで、軸上光線および軸外光線ともに緩やかに光線を曲げて行くことが可能であり、その結果、光量を調整する開口絞りＳｔの位置は、以下の２パターンでの実施が可能になる。
【００２１】
１つ目としては、開口絞りＳｔを第１レンズＬ１の物体側に配置することにより、入射瞳位置を像面から遠い位置にとることができる。これにより、高いテレセントリック性を確保することが可能となり、像面に対する入射角を好適化することができる。２つ目としては、第１レンズＬ１と第２レンズＬ２との間に開口絞りＳｔを配置することで、第１レンズＬ１の像側の面と第２レンズＬ２の物体側の面とが対称形状に近い形となり、周辺マージナル光線が発生する収差を打ち消すことができる配置にすることが可能となる。具体例としては、図４の第４の構成例では、第１レンズＬ１と第２レンズＬ２との間に開口絞りＳｔを配置している。
【００２２】
また、この撮像レンズでは、第１レンズＬ１ないし第６レンズＬ６の全てを樹脂材料で構成することで、大量に安価で非球面のレンズを使用することが可能になる。一方で、更に高い光学性能が要求される場合には、第１レンズＬ１ないし第６レンズＬ６のうち、第１レンズＬ１もしくは第２レンズＬ２のみをガラス材料で構成しても良い。これにより、高画素化に対応することが可能となる。特に、ガラス材料を用いた場合、レンズ系の前にあるレンズの屈折率を上げることができるので、その結果Ｆｎｏを決定するためのマージナル光線の最小偏角を小さくすることができるので大口径化することが可能になる。同時に、ガラス材料を用いた場合は、樹脂材料に比べて低分散のアッべ数を選択することもできる。その結果、軸上色収差補正がさらに容易になるので、こちらの場合でも高い収差補正をすることが可能となる。
【００２３】
また、この撮像レンズでは、第３レンズＬ３と第４レンズＬ４とを同じ材料にすることで、製造にかかるコストを低廉なものにできるのと同時に、軸上色収差補正として重要な機能をする第３レンズＬ３と第４レンズＬ４との材料のロット差による光学性能の変動を最低限に抑えることが可能となる。
【００２４】
以上のように本実施の形態によれば、全体として６枚のレンズ構成とし、各レンズの構成の最適化を図るようにしたので、小型で、諸収差が好適に補正された、良好な光学特性を実現できる。特に、負の屈折力を持つレンズを３つ以上配置させると共に、後述するように、第１レンズＬ１と第２レンズＬ２とのパワー配分、および第３レンズＬ３と第４レンズＬ４とのパワー配分を適切に定めた構成にすることで、５枚以下のレンズ構成では成しえなかった、高解像化に伴った撮像素子の大型化や画素の高細密化にも対応可能となり、諸収差が良好に補正された高性能なレンズをコンパクトな構成で、安価に提供できる。
【００２５】
（条件式の説明）
本実施の形態に係る撮像レンズでは、以下の条件式を少なくとも１つ、好ましくは２つ以上の条件式を組み合わせて満足するように各レンズの構成の最適化を図ることで、より良好な性能を得ることができる。
【００２６】
１４≦ν３≦３５  ……（１）
ただし、
ν３：第３レンズＬ３のアッべ数
とする。
【００２７】
条件式（１）は、第３レンズＬ３のアッベ数を規定するための条件式である。ここで、第３レンズＬ３のアッべ数は色収差の補正に大きな影響を及ぼす。条件式（１）の値が上限を上回ってしまうと、ｆ線やｇ線の屈折力が十分に得られないために、軸上色収差を補正することができなくなってしまう。
なお、適度に色収差を抑えて性能改善を図るためには、上記条件式（１）の数値範囲を以下の条件式（１）’の通り、設定することが好ましい。
１８＜ν３＜３１  ……（１）’
【００２８】
２０≦ν５≦６０  ……（２）
ただし、
ν５：第５レンズＬ５のアッべ数
とする。
【００２９】
条件式（２）は、第５レンズＬ５のアッべ数を規定するための条件式である。ここで、第５レンズＬ５のアッべ数は第３レンズＬ３と同様に色収差の補正に大きな影響を及ぼす。条件式（２）の値が上限を上回ってしまうと、像高の高い周辺を通過するｆ線やｇ線の屈折力が得られないために倍率色収差が抑えることができなくなってしまう。条件式（２）の値が下限を下回ってしまうと、今度は第５レンズＬ５の近軸を通過するｆ線やｇ線の屈折力が過剰となってしまい、その結果、軸上色収差を抑えることができなくなってしまう。
【００３０】
０．４≦ｆ1to2／ｆ≦１．０  ……（３）
ただし、
ｆ：全系の焦点距離
ｆ1to2：第１レンズＬ１と第２レンズＬ２との合成焦点距離
とする。
【００３１】
条件式（３）は、第１レンズＬ１と第２レンズＬ２との合成の焦点距離に対する、全系の焦点距離の関係を規定する式である。ここで、第１レンズＬ１と第２レンズＬ２との合成焦点距離、つまり合成パワーは、撮像レンズ全体の収差補正や全体の大きさに大きな影響を及ぼす。条件式（３）の値が上限を上回ってしまうと、入射してきた光線を屈折する力が弱くなり全系として大きくなってしまうために小型化を達成することができない。また、条件式（３）の値が下限を下回ってしまうと、第１レンズＬ１と第２レンズＬ２との合成パワーが強くなりすぎることで高次の球面収差やコマ収差が発生してしまい、光学性能を確保することができなくなってしまう。
なお、より全長を抑えつつ、高次の球面収差を抑えて性能の改善が図るためには、上記条件式（３）の数値範囲を以下の条件式（３）’の通り、設定することが好ましい。
０．４５≦ｆ1to2／ｆ≦０．９５  ……（３）’
【００３２】
−１≦ｆ１／ｆ２≦３０  ……（４）
ただし、
ｆ１：第１レンズＬ１の焦点距離
ｆ２：第２レンズＬ２の焦点距離
とする。
【００３３】
条件式（４）は、第１レンズＬ１の焦点距離に対する第２レンズＬ２の焦点距離の関係を規定する式である。ここで、第１レンズＬ１の焦点距離と第２レンズＬ２の焦点距離の比、つまりパワーの配分は撮像レンズ全体の収差補正に大きな影響を及ぼす。条件式（４）の値が上限を上回ってしまうと、第１レンズＬ１と第２レンズＬ２とで構成される正のパワー群の主点位置が像面側に近づく方向になってしまう。その結果として、光学系が低背化できなくなってしまう。また、条件式（４）の値が下限を下回ってしまうと、第１レンズＬ１の屈折力を必要以上に高めることになり、その結果、第１レンズＬ１の物体側の面を通過する周辺マージナル光線の屈折角が大きくなりすぎ収差補正が行えなくなってしまう。
なお、より収差補正を良好にして性能を高めた実施形態とするためには、上記条件式（４）の数値範囲を以下の条件式（４）’の通り、設定することが好ましい。
−０．５≦ｆ１／ｆ２≦２２  ……（４）’
【００３４】
０≦ｆ３／ｆ４≦１．０  ……（５）
ただし、
ｆ３：第３レンズＬ３の焦点距離
ｆ４：第４レンズＬ４の焦点距離
とする。
【００３５】
条件式（５）は、第３レンズＬ３の焦点距離と第４レンズＬ４の焦点距離との関係を規定する式である。ここで、第３レンズＬ３の焦点距離と第４レンズＬ４の焦点距離の比は、倍率色収差とコマ収差補正に対して大きな影響を及ぼしている。条件式（５）の値が上限を上回ってしまうと、第４レンズＬ４のパワーが強くなってしまっているので、周辺画角の主光線が通過する際に分散の影響を大きく受け、その結果、倍率色収差が悪化してしまう。また、条件式（５）の値が下限を下回ってしまうと、第３レンズＬ３の屈折力を必要以上に高めることになり、その結果、上光線の屈折角が大きくなりすぎ、コマ収差補正ができなくなってしまう。
なお、倍率色収差を抑えつつ、コマ収差を押さえて性能の改善が図るためには、上記条件式（５）の数値範囲を以下の条件式（５）’の通り、設定することが好ましい。
０．０３≦ｆ３／ｆ４≦０．８  ……（５）’
【００３６】
−１０≦（Ｒ９＋Ｒ１０）／（Ｒ９−Ｒ１０）≦１  ……（６）
ただし、
Ｒ９：第５レンズＬ５の物体側の面の曲率半径
Ｒ１０：第５レンズＬ５の像側の面の曲率半径
とする。
【００３７】
条件式（６）は、第５レンズＬ５の形状を規定する式である。ここで、第５レンズＬ５の近軸付近の形状は球面収差の補正に影響を及ぼしている。第５レンズＬ５は、特に、両凸形状、もしくは物体側の面を凸形状のメニスカスレンズとすることが望ましい。条件式（６）の値が上限を上回ってしまうと、第５レンズＬ５の物体側の面においてＦｎｏを決定するための光線を集光するための屈折力が弱くなるために球面収差補正が難しくなり、その結果、大口径化ができなくなってしまう。また、条件式（６）の値が下限を下回ってしまうと、第５レンズＬ５の像側の面のパワーが必要以上に強くなってしまい、軸外の画角に対して高次収差を発生させてしまうことによって光学性能が劣化してしまう。
なお、より球面収差を抑えつつ高次収差も発生させないためには、上記条件式（６）の数値範囲を以下の条件式（６）’の通り、設定することが好ましい。
−５≦（Ｒ９＋Ｒ１０）／（Ｒ９−Ｒ１０）≦０．７５  ……（６）’
【００３８】
−５≦（Ｒ１１＋Ｒ１２）／（Ｒ１１−Ｒ１２）≦１０  ……（７）
ただし、
Ｒ１１：第６レンズＬ６の物体側の面の曲率半径
Ｒ１２：第６レンズＬ６の像側の面の曲率半径
とする。
【００３９】
条件式（７）は、第６レンズＬ６の形状を規定する式である。ここで、第６レンズＬ６についても近軸付近の形状は球面収差の補正に影響を及ぼしている。条件式（７）の値が範囲内に収まっていることで、光学系の明るさを規定する入射瞳上のマージナル光線を最小偏角に近い形で屈折させることが可能となる。特に、軸上光線群は第５レンズＬ５以降を通過していく際は近軸領域に近いエリアを通過していくので、これらを緩やかに屈折させていく効果でより高い収差補正が可能となる。
なお、より球面収差を抑えるためには、上記条件式（７）の数値範囲を以下の条件式（７）’の通り、設定することが好ましい。
−２．５≦（Ｒ１１＋Ｒ１２）／（Ｒ１１−Ｒ１２）≦５  ……（７）’
【００４０】
［３．撮像装置への適用例］
図２９および図３０は、本実施の形態に係る撮像レンズを適用した撮像装置の一構成例を示している。この構成例は、撮像装置を備えた携帯端末機器（例えば携帯情報端末や携帯電話端末）の一例である。この携帯端末機器は、略長方形状の筐体２０１を備えている。筐体２０１の前面側（図２９）には表示部２０２やフロントカメラ部２０３が設けられている。筐体２０１の背面側（図３０）には、メインカメラ部２０４やカメラフラッシュ２０５が設けられている。
【００４１】
表示部２０２は、例えば表面への接触状態を検知することによって各種の操作を可能にするタッチパネルとなっている。これにより、表示部２０２は、各種の情報を表示する機能とユーザによる各種の入力操作を可能にする入力機能とを有している。表示部２０２は、操作状態や、フロントカメラ部２０３またはメインカメラ部２０４で撮影した画像等の各種のデータを表示する。
【００４２】
本実施の形態に係る撮像レンズは、例えば図２９および図３０に示したような携帯端末機器における撮像装置（フロントカメラ部２０３またはメインカメラ部２０４）のカメラモジュール用レンズとして適用可能である。このようなカメラモジュール用レンズとして用いる場合、撮像レンズの像面Ｓｉｍｇ付近に、撮像レンズによって形成された光学像に応じた撮像信号（画像信号）を出力するＣＣＤ（Charge Coupled Devices）やＣＭＯＳ（Complementary Metal Oxide Semiconductor）等の撮像素子が配置される。この場合、図１に示したように、第６レンズＬ６と像面Ｓｉｍｇとの間には、撮像素子保護用のシールガラスＳＧや各種の光学フィルタ等の光学部材が配置されていても良い。
【００４３】
なお、本実施の形態に係る撮像レンズは、上記した携帯端末機器に限らず、その他の電子機器、例えばデジタルスチルカメラやデジタルビデオカメラ用の撮像レンズとしても適用可能である。その他、ＣＣＤやＣＭＯＳなどの固体撮像素子を使用した小型の撮像装置全般、例えば光センサー、携帯用モジュールカメラ、およびＷＥＢカメラなどに適用可能である。
【実施例】
【００４４】
＜４．レンズの数値実施例＞
次に、本実施の形態に係る撮像レンズの具体的な数値実施例について説明する。
なお、以下の各表や説明において示した記号の意味等については、下記に示す通りである。「Ｓｉ」は、最も物体側の構成要素の面を１番目として、像側に向かうに従い順次増加するようにして符号を付したｉ番目の面の番号を示している。「Ｒｉ」は、ｉ番目の面の近軸の曲率半径の値（ｍｍ）を示す。「Ｄｉ」はｉ番目の面とｉ＋１番目の面との間の光軸上の間隔の値（ｍｍ）を示す。「Ｎｉ」はｉ番目の面を有する光学要素の材質のｄ線（波長５８７．６ｎｍ）における屈折率の値を示す。「νｉ」はｉ番目の面を有する光学要素の材質のｄ線におけるアッベ数の値を示す。面番号に関し「ＡＳＰ」は当該面が非球面であることを示し、曲率半径に関し「∞」は当該面が平面または絞り面であることを示す。ωは半画角、ＦｎｏはＦナンバーを示す。
【００４５】
各実施例において、非球面の形状は次式で表される。非球面係数のデータにおいて、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０５」であれば、「１．０×１０-5」であることを示す。
【００４６】
（非球面の式）
非球面の形状は、面の頂点を原点とし、光軸方向にＸ軸を取り、光軸Ｚ１と垂直方向の高さをｈとして以下の数式で表す。
Ｘ＝（ｈ2／Ｒ）／［１＋｛１−（１＋Ｋ）（ｈ2／Ｒ2）｝1/2］＋ΣＡｉ・ｈi
ただし、
Ｒ：近軸曲率半径
Ｋ：円錐定数
Ａｉ：第ｉ次（ｉは３以上の整数）の非球面係数
とする。
【００４７】
（各数値実施例に共通の構成）
以下の各数値実施例に係る撮像レンズはいずれも、上記したレンズの基本構成を満足した構成となっている。また、各数値実施例に係る撮像レンズはいずれも、複数の非球面を有している。第６レンズＬ６と像面Ｓｉｍｇとの間にはシールガラスＳＧが配置されている。
【００４８】
［数値実施例１］
［表１］、［表２］は、図１に示した第１の構成例に係る撮像レンズに対応する具体的なレンズデータを示している。特に［表１］にはその基本的なレンズデータを示し、［表２］には非球面に関するデータを示す。［表１］にはまた、Ｆｎｏ、画角２ω、および全系の焦点距離ｆの値も示す。
【００４９】
この第１の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の各面は、第２面、第３面は球面、それ以外の面は非球面となっている。
【００５０】
【表１】
2014044372.tif 000003
【００５１】
【表２】
2014044372.tif 000004
【００５２】
［数値実施例２］
［表３］、［表４］は、図２に示した第２の構成例に係る撮像レンズに対応する具体的なレンズデータを示している。特に［表３］にはその基本的なレンズデータを示し、［表４］には非球面に関するデータを示す。［表３］にはまた、Ｆｎｏ、画角２ω、および全系の焦点距離ｆの値も示す。
【００５３】
この第２の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の全ての面が非球面となっている。
【００５４】
【表３】
2014044372.tif 000005
【００５５】
【表４】
2014044372.tif 000006
【００５６】
［数値実施例３］
［表５］、［表６］は、図３に示した第３の構成例に係る撮像レンズに対応する具体的なレンズデータを示している。特に［表５］にはその基本的なレンズデータを示し、［表６］には非球面に関するデータを示す。［表５］にはまた、Ｆｎｏ、画角２ω、および全系の焦点距離ｆの値も示す。
【００５７】
この第３の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の各面は、第２面、第３面は球面、それ以外の面は非球面となっている。
【００５８】
【表５】
2014044372.tif 000007
【００５９】
【表６】
2014044372.tif 000008
【００６０】
［数値実施例４］
［表７］、［表８］は、図４に示した第４の構成例に係る撮像レンズに対応する具体的なレンズデータを示している。特に［表７］にはその基本的なレンズデータを示し、［表８］には非球面に関するデータを示す。［表７］にはまた、Ｆｎｏ、画角２ω、および全系の焦点距離ｆの値も示す。
【００６１】
この第４の構成例では、第２レンズＬ２は負の屈折力を有している。開口絞りＳｔは第１レンズＬ１と第２レンズＬ２との間に配置されている。また、第１レンズＬ１ないし第６レンズＬ６のうち、第１レンズＬ１のみがガラス材料で構成されている。また、第３レンズＬ３と第４レンズＬ４とが同じ材料で構成されている。第１レンズＬ１ないし第６レンズＬ６の各面は、第１面、第２面は球面、それ以外の面は非球面となっている。
【００６２】
【表７】
2014044372.tif 000009
【００６３】
【表８】
2014044372.tif 000010
【００６４】
［数値実施例５］
［表９］、［表１０］は、図５に示した第５の構成例に係る撮像レンズに対応する具体的なレンズデータを示している。特に［表９］にはその基本的なレンズデータを示し、［表１０］には非球面に関するデータを示す。［表９］にはまた、Ｆｎｏ、画角２ω、および全系の焦点距離ｆの値も示す。
【００６５】
この第５の構成例では、第２レンズＬ２は負の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の各面は、第２面、第３面は球面、それ以外の面は非球面となっている。
【００６６】
【表９】
2014044372.tif 000011
【００６７】
【表１０】
2014044372.tif 000012
【００６８】
［数値実施例６］
［表１１］、［表１２］は、図６に示した第６の構成例に係る撮像レンズに対応する具体的なレンズデータを示している。特に［表１１］にはその基本的なレンズデータを示し、［表１２］には非球面に関するデータを示す。［表１１］にはまた、Ｆｎｏ、画角２ω、および全系の焦点距離ｆの値も示す。
【００６９】
この第６の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の各面は、第２面、第３面は球面、それ以外の面は非球面となっている。
【００７０】
【表１１】
2014044372.tif 000013
【００７１】
【表１２】
2014044372.tif 000014
【００７２】
［数値実施例７］
［表１３］、［表１４］は、図７に示した第７の構成例に係る撮像レンズに対応する具体的なレンズデータを示している。特に［表１３］にはその基本的なレンズデータを示し、［表１４］には非球面に関するデータを示す。［表１３］にはまた、Ｆｎｏ、画角２ω、および全系の焦点距離ｆの値も示す。
【００７３】
この第７の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の全ての面が非球面となっている。
【００７４】
【表１３】
2014044372.tif 000015
【００７５】
【表１４】
2014044372.tif 000016
【００７６】
［数値実施例８］
［表１５］、［表１６］は、図８に示した第８の構成例に係る撮像レンズに対応する具体的なレンズデータを示している。特に［表１５］にはその基本的なレンズデータを示し、［表１６］には非球面に関するデータを示す。［表１５］にはまた、Ｆｎｏ、画角２ω、および全系の焦点距離ｆの値も示す。
【００７７】
この第８の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の全ての面が非球面となっている。
【００７８】
【表１５】
2014044372.tif 000017
【００７９】
【表１６】
2014044372.tif 000018
【００８０】
［数値実施例９］
［表１７］、［表１８］は、図９に示した第９の構成例に係る撮像レンズに対応する具体的なレンズデータを示している。特に［表１７］にはその基本的なレンズデータを示し、［表１８］には非球面に関するデータを示す。［表１７］にはまた、Ｆｎｏ、画角２ω、および全系の焦点距離ｆの値も示す。
【００８１】
この第９の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の全ての面が非球面となっている。
【００８２】
【表１７】
2014044372.tif 000019
【００８３】
【表１８】
2014044372.tif 000020
【００８４】
［数値実施例１０］
［表１９］、［表２０］は、図１０に示した第１０の構成例に係る撮像レンズに対応する具体的なレンズデータを示している。特に［表１９］にはその基本的なレンズデータを示し、［表２０］には非球面に関するデータを示す。［表１９］にはまた、Ｆｎｏ、画角２ω、および全系の焦点距離ｆの値も示す。
【００８５】
この第１０の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の全ての面が非球面となっている。
【００８６】
【表１９】
2014044372.tif 000021
【００８７】
【表２０】
2014044372.tif 000022
【００８８】
［数値実施例１１］
［表２１］、［表２２］は、図１１に示した第１１の構成例に係る撮像レンズに対応する具体的なレンズデータを示している。特に［表２１］にはその基本的なレンズデータを示し、［表２２］には非球面に関するデータを示す。［表２１］にはまた、Ｆｎｏ、画角２ω、および全系の焦点距離ｆの値も示す。
【００８９】
この第１１の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが同じ材料で構成されている。第１レンズＬ１ないし第６レンズＬ６の全ての面が非球面となっている。
【００９０】
【表２１】
2014044372.tif 000023
【００９１】
【表２２】
2014044372.tif 000024
【００９２】
［数値実施例１２］
［表２３］、［表２４］は、図１２に示した第１２の構成例に係る撮像レンズに対応する具体的なレンズデータを示している。特に［表２３］にはその基本的なレンズデータを示し、［表２４］には非球面に関するデータを示す。［表２３］にはまた、Ｆｎｏ、画角２ω、および全系の焦点距離ｆの値も示す。
【００９３】
この第１２の構成例では、第２レンズＬ２は正の屈折力を有している。開口絞りＳｔは第１レンズＬ１の物体側に配置されている。また、第１レンズＬ１ないし第６レンズＬ６の全てが樹脂材料で構成されている。また、第３レンズＬ３と第４レンズＬ４とが異なる材料で構成されている。第１レンズＬ１ないし第６レンズＬ６の全ての面が非球面となっている。
【００９４】
【表２３】
2014044372.tif 000025
【００９５】
【表２４】
2014044372.tif 000026
【００９６】
［数値実施例１３］
［表２５］、［表２６］は、図１３に示した第１３の構成例に係る撮像レンズに対応する具体的なレンズデータを示している。特に［表２５］にはその基本的なレンズデータを示し、［表２６］には非球面に関するデータを示す。［表２５］にはまた、Ｆｎｏ、画角２ω、および全系の焦点距離ｆの値も示す。
【００９７】
この第１３の構成例では、第２レンズＬ２は正の屈折力を有している。開口絞りＳｔは第１レンズＬ１の物体側に配置されている。また、第１レンズＬ１ないし第６レンズＬ６のうち、第２レンズＬ２のみがガラス材料で構成されている。また、第３レンズＬ３と第４レンズＬ４とが異なる材料で構成されている。第１レンズＬ１ないし第６レンズＬ６の全ての面が非球面となっている。
【００９８】
【表２５】
2014044372.tif 000027
【００９９】
【表２６】
2014044372.tif 000028
【０１００】
［数値実施例１４］
［表２７］、［表２８］は、図１４に示した第１４の構成例に係る撮像レンズに対応する具体的なレンズデータを示している。特に［表２７］にはその基本的なレンズデータを示し、［表２８］には非球面に関するデータを示す。［表２７］にはまた、Ｆｎｏ、画角２ω、および全系の焦点距離ｆの値も示す。
【０１０１】
この第１４の構成例では、第２レンズＬ２は正の屈折力を有している。開口絞りＳｔは第１レンズＬ１の物体側に配置されている。また、第１レンズＬ１ないし第６レンズＬ６のうち、第２レンズＬ２のみがガラス材料で構成されている。また、第３レンズＬ３と第４レンズＬ４とが異なる材料で構成されている。第１レンズＬ１ないし第６レンズＬ６の全ての面が非球面となっている。
【０１０２】
【表２７】
2014044372.tif 000029
【０１０３】
【表２８】
2014044372.tif 000030
【０１０４】
［各実施例のその他の数値データ］
［表２９］には、上述の各条件式に関する値を、各数値実施例についてまとめたものを示す。［表２９］から分かるように、各条件式について、各数値実施例の値がその数値範囲内となっている。
【０１０５】
【表２９】
2014044372.tif 000031
【０１０６】
［収差性能］
図１５〜図２８に、各数値実施例の収差性能を示す。これらの各図には収差図として、球面収差、非点収差、およびディストーション（歪曲収差）を示す。非点収差図において、Ｓはサジタル方向、Ｔはメリディオナル（タンジェンシャル）方向の収差を示す。
【０１０７】
以上の各収差図から分かるように、各実施例について、良好に収差補正された撮像レンズを実現できている。
【０１０８】
＜５．その他の実施の形態＞
本開示による技術は、上記実施の形態および実施例の説明に限定されず種々の変形実施が可能である。
例えば、上記各数値実施例において示した各部の形状および数値は、いずれも本技術を実施するための具体化のほんの一例に過ぎず、これらによって本技術の技術的範囲が限定的に解釈されることがあってはならないものである。
【０１０９】
また、上記実施の形態および実施例では、実質的に６つのレンズからなる構成について説明したが、実質的に屈折力を有さないレンズをさらに備えた構成であっても良い。
【０１１０】
また例えば、本技術は以下のような構成を取ることができる。
［１］
物体側より順に、
正の屈折力を有する第１レンズと、
正または負の屈折力を有する第２レンズと、
負の屈折力を有する第３レンズと、
負の屈折力を有する第４レンズと、
正の屈折力を有する第５レンズと、
負の屈折力を有する第６レンズとからなり、
前記第６レンズの像側の面が、光軸との交点以外に少なくとも１つの変曲点を有する非球面形状である
撮像レンズ。
［２］
以下の条件式を満足する
上記［１］に記載の撮像レンズ。
１４≦ν３≦３５  ……（１）
ただし、
ν３：前記第３レンズのアッべ数
とする。
［３］
以下の条件式を満足する
上記［１］または［２］に記載の撮像レンズ。
２０≦ν５≦６０  ……（２）
ただし、
ν５：前記第５レンズのアッべ数
とする。
［４］
以下の条件式を満足する
上記［１］ないし［３］のいずれか１つに記載の撮像レンズ。
０．４≦ｆ1to2／ｆ≦１．０  ……（３）
ただし、
ｆ：全系の焦点距離
ｆ1to2：前記第１レンズと前記第２レンズとの合成焦点距離
とする。
［５］
以下の条件式を満足する
上記［１］ないし［４］のいずれか１つに記載の撮像レンズ。
−１≦ｆ１／ｆ２≦３０  ……（４）
ただし、
ｆ１：前記第１レンズの焦点距離
ｆ２：前記第２レンズの焦点距離
とする。
［６］
以下の条件式を満足する
上記［１］ないし［５］のいずれか１つに記載の撮像レンズ。
０≦ｆ３／ｆ４≦１．０  ……（５）
ただし、
ｆ３：前記第３レンズの焦点距離
ｆ４：前記第４レンズの焦点距離
とする。
［７］
以下の条件式を満足する
上記［１］ないし［６］のいずれか１つに記載の撮像レンズ。
−１０≦（Ｒ９＋Ｒ１０）／（Ｒ９−Ｒ１０）≦１  ……（６）
ただし、
Ｒ９：前記第５レンズの物体側の面の曲率半径
Ｒ１０：前記第５レンズの像側の面の曲率半径
とする。
［８］
以下の条件式を満足する
上記［１］ないし［７］のいずれか１つに記載の撮像レンズ。
−５≦（Ｒ１１＋Ｒ１２）／（Ｒ１１−Ｒ１２）≦１０  ……（７）
ただし、
Ｒ１１：前記第６レンズの物体側の面の曲率半径
Ｒ１２：前記第６レンズの像側の面の曲率半径
とする。
［９］
前記第１レンズの物体側、または前記第１レンズと前記第２レンズとの間に開口絞りが配置されている
上記［１］ないし［８］のいずれか１つに記載の撮像レンズ。
［１０］
前記第１ないし第６レンズの全てが樹脂材料で構成されているか、または前記第１ないし第６レンズのうち、前記第１レンズもしくは前記第２レンズのみがガラス材料で構成されている
上記［１］ないし［９］のいずれか１つに記載の撮像レンズ。
［１１］
前記第３レンズと前記第４レンズとが同じ材料である
上記［１］ないし［１０］のいずれか１つに記載の撮像レンズ。
［１２］
実質的に屈折力を有さないレンズをさらに備えた
上記［１］ないし［１１］のいずれか１つに記載の撮像レンズ。
［１３］
撮像レンズと、前記撮像レンズによって形成された光学像に応じた撮像信号を出力する撮像素子とを含み、
前記撮像レンズは、
物体側より順に、
正の屈折力を有する第１レンズと、
正または負の屈折力を有する第２レンズと、
負の屈折力を有する第３レンズと、
負の屈折力を有する第４レンズと、
正の屈折力を有する第５レンズと、
負の屈折力を有する第６レンズとからなり、
前記第６レンズの像側の面が、光軸との交点以外に少なくとも１つの変曲点を有する非球面形状である
撮像装置。
［１４］
前記撮像レンズは、実質的に屈折力を有さないレンズをさらに備える
上記［１３］に記載の撮像装置。
【符号の説明】
【０１１１】
Ｌ１…第１レンズ、Ｌ２…第２レンズ、Ｌ３…第３レンズ、Ｌ４…第４レンズ、Ｌ５…第５レンズ、Ｌ６…第６レンズ、ＳＧ…シールガラス、Ｓｔ…開口絞り、Ｓｉｍｇ…像面（撮像素子）、Ｚ１…光軸、２０１…筐体、２０２…表示部、２０３…フロントカメラ部、２０４…メインカメラ部、２０５…カメラフラッシュ。
【図１】
2014044372.tif 000032
【図２】
2014044372.tif 000033
【図３】
2014044372.tif 000034
【図４】
2014044372.tif 000035
【図５】
2014044372.tif 000036
【図６】
2014044372.tif 000037
【図７】
2014044372.tif 000038
【図８】
2014044372.tif 000039
【図９】
2014044372.tif 000040
【図１０】
2014044372.tif 000041
【図１１】
2014044372.tif 000042
【図１２】
2014044372.tif 000043
【図１３】
2014044372.tif 000044
【図１４】
2014044372.tif 000045
【図１５】
2014044372.tif 000046
【図１６】
2014044372.tif 000047
【図１７】
2014044372.tif 000048
【図１８】
2014044372.tif 000049
【図１９】
2014044372.tif 000050
【図２０】
2014044372.tif 000051
【図２１】
2014044372.tif 000052
【図２２】
2014044372.tif 000053
【図２３】
2014044372.tif 000054
【図２４】
2014044372.tif 000055
【図２５】
2014044372.tif 000056
【図２６】
2014044372.tif 000057
【図２７】
2014044372.tif 000058
【図２８】
2014044372.tif 000059
【図２９】
2014044372.tif 000060
【図３０】
2014044372.tif 000061